(57)【要約】【課題】  無線接続通信システムにおける制御メッセージの伝送効率を増加させることができる方法及び装置を提供する。【解決手段】  本発明は、タイプフィールド、長さフィールド、及び統合ＣＩＤフィールドを備え、加入者端末に新たに割り当てられた新ＣＩＤと加入者端末が現在のサービング基地局から割り当てられた旧ＣＩＤとの対からなる統合ＣＩＤが統合ＣＩＤフィールドに挿入され、統合ＣＩＤに関するタイプ情報及び長さ情報がタイプフィールド及び長さフィールドのそれぞれに挿入される登録応答メッセージをハンドオーバーの対象になる加入者端末に送信する。また、トラヒックインジケーション情報を受信すべきポジティブ加入者端末のＢＣＩＤを示すビットのうち、所定数のビットのみから構成されたショートＢＣＩＤが挿入されるショートＢＣＩＤフィールドを少なくとも１つ以上備えるトラヒックインジケータメッセージを加入者端末に送信する。【選択図】  図３
2005253062.tif 000002
【特許請求の範囲】
【請求項１】
無線接続通信システムにおいて連結識別子（ＣＩＤ）アップデート情報をハンドオーバー対象になる加入者端末に伝送する方法であって、
前記加入者端末に登録応答メッセージを伝送するステップを備え、
前記登録応答メッセージがタイプフィールド、長さフィールド、及び統合ＣＩＤフィールドを備えると共に、前記加入者端末に新しく割り当てられた新ＣＩＤと前記加入者端末が現在のサービング基地局から割り当てられた旧ＣＩＤとの対からなる統合ＣＩＤが、前記統合ＣＩＤフィールドに挿入され、前記統合ＣＩＤに関するタイプ情報及び長さ情報が前記タイプフィールド及び前記長さフィールドのそれぞれに挿入されることを特徴とする制御メッセージ送信方法。
【請求項２】
前記統合ＣＩＤフィールドは、上位フィールドと下位フィールドとに区分され、前記上位フィールドには、前記新ＣＩＤが挿入され、前記下位フィールドには、前記旧ＣＩＤが挿入されることを特徴とする請求項１記載の制御メッセージ送信方法。
【請求項３】
前記統合ＣＩＤフィールドは、上位フィールドと下位フィールドとに区分され、前記上位フィールドには、前記旧ＣＩＤが挿入され、前記下位フィールドには、前記新ＣＩＤが挿入されることを特徴とする請求項１記載の制御メッセージ送信方法。
【請求項４】
無線接続通信システムにおいて連結識別子（ＣＩＤ）アップデート情報をハンドオーバー対象になる加入者端末に伝送する方法であって、
前記加入者端末に登録応答メッセージを伝送するステップを備え、
前記登録応答メッセージがタイプフィールドと統合ＣＩＤフィールドとを備えると共に、前記加入者端末に新しく割り当てられた新ＣＩＤと、前記新ＣＩＤに関する長さ情報と、前記加入者端末が現在のサービング基地局から割り当てられた旧ＣＩＤと、前記旧ＣＩＤに関する長さ情報とが前記統合ＣＩＤフィールドに挿入され、前記統合ＣＩＤに関するタイプ情報が前記タイプフィールドに挿入されることを特徴とする制御メッセージ送信方法。
【請求項５】
無線接続通信システムにおいて連結識別子（ＣＩＤ）アップデート情報をハンドオーバー対象になる加入者端末に伝送する方法であって、
前記加入者端末に登録応答メッセージを伝送するステップを備え、
前記登録応答メッセージが長さフィールドと統合ＣＩＤフィールドとを備えると共に、前記加入者端末に新しく割り当てられた新ＣＩＤと、前記新ＣＩＤに関するタイプ情報と、前記加入者端末が現在のサービング基地局から割り当てられた旧ＣＩＤと、前記旧ＣＩＤに関するタイプ情報とが前記統合ＣＩＤフィールドに挿入され、前記統合ＣＩＤフィールドに関する長さ情報が前記長さフィールドに挿入されることを特徴とする制御メッセージ送信方法。
【請求項６】
無線接続通信システムにおいて連結識別子（ＣＩＤ）アップデート情報をハンドオーバー対象になる加入者端末に伝送する装置であって、
タイプフィールドと、長さフィールドと、統合ＣＩＤフィールドとを備える登録応答メッセージを生成する登録応答メッセージ生成部と、
前記生成された登録応答メッセージを前記加入者端末に伝送する登録応答 メッセージ送信部と、を備え、
前記加入者端末に新しく割り当てられた新ＣＩＤと、前記加入者端末が現在のサービング基地局から割り当てられた旧ＣＩＤとの対からなる統合ＣＩＤが前記統合ＣＩＤフィールドに挿入され、前記統合ＣＩＤに関するタイプ情報及び長さ情報が前記タイプフィールド及び前記長さフィールドのそれぞれに挿入されることを特徴とする制御メッセージ送信装置。
【請求項７】
前記登録応答メッセージ生成部が、前記統合ＣＩＤフィールドの上位フィールドには前記新ＣＩＤを挿入し、前記統合ＣＩＤフィールドの下位フィールドには前記旧ＣＩＤを挿入することを特徴とする請求項６記載の制御メッセージ送信装置。
【請求項８】
前記登録応答メッセージ生成部が、前記統合ＣＩＤフィールドの上位フィールドには前記旧ＣＩＤを挿入し、前記統合ＣＩＤフィールドの下位フィールドには前記新ＣＩＤを挿入することを特徴とする請求項６記載の制御メッセージ送信装置。
【請求項９】
無線接続通信システムにおいてトラヒックインジケーション情報を加入者端末に伝送する方法であって、
前記加入者端末にトラヒックインジケータメッセージを伝送するステップを備え、
前記トラヒックインジケータメッセージが、前記トラヒックインジケーション情報を受信しなければならないポジティブ加入者端末のベーシック連結識別子（ＢＣＩＤ）を示すビットのうちの所定数のビットのみから構成されたショートＢＣＩＤが挿入されるショートＢＣＩＤフィールドを少なくとも１つ以上備えることを特徴とする制御メッセージ送信方法。
【請求項１０】
前記ショートＢＣＩＤのビットが、前記ＢＣＩＤを示すビットのうちの前記所定数の下位ビットであることを特徴とする請求項９記載の制御メッセージ送信方法。
【請求項１１】
前記ショートＢＣＩＤフィールドの個数が、前記ポジティブ加入者端末の個数と同一であり、前記少なくとも１つ以上のショートＢＣＩＤフィールドは、それぞれ１つのポジティブ加入者端末に対応することを特徴とする請求項９記載の制御メッセージ送信方法。
【請求項１２】
前記ショートＢＣＩＤのビット数が、１つの基地局がサービスすることができる加入者端末の総数に基づいて、基地局ごとに可変的に予め設定されることを特徴とする請求項９〜請求項１１のうちのいずれか１項に記載の制御メッセージ送信方法。
【請求項１３】
前記トラヒックインジケータメッセージが、前記ショートＢＣＩＤの長さを示すショートＢＣＩＤビット数の情報が挿入されるショートＢＣＩＤビット数フィールドをさらに備えることを特徴とする請求項１２記載の制御メッセージ送信方法。
【請求項１４】
前記ショートＢＣＩＤのビット数が固定的に予め設定されることを特徴とする請求項９から請求項１１のうちのいずれか１項に記載の制御メッセージ送信方法。
【請求項１５】
前記トラヒックインジケータメッセージが、前記ショートＢＣＩＤの長さを示すショートＢＣＩＤビット数情報が挿入されるショートＢＣＩＤビット数フィールドをさらに備えることを特徴とする請求項１４記載の制御メッセージ送信方法。
【請求項１６】
前記トラヒックインジケータメッセージが、前記ショートＢＣＩＤの長さを示すショートＢＣＩＤビット数情報が挿入されるショートＢＣＩＤビット数フィールドをさらに備えることを特徴とする請求項９から請求項１１のうちのいずれか１項に記載の制御メッセージ送信方法。
【請求項１７】
無線接続通信システムにおいてトラヒックインジケーション情報を加入者端末に伝送する装置であって、
前記トラヒックインジケーション情報を受信しなければならない少なくとも１つ以上のポジティブ加入者端末のベーシック連結識別子（ＢＣＩＤ）のそれぞれから所定数のビットをショートＢＣＩＤとして抽出するショートＢＣＩＤ抽出部と、
前記抽出されたショートＢＣＩＤが挿入されるショートＢＣＩＤフィールドを少なくとも１つ以上備えるトラヒックインジケータメッセージを生成するトラヒックインジケータメッセージ生成部と、
前記生成されたトラヒックインジケータメッセージを送信するトラヒックインジケータメッセージ送信部と、
を備えることを特徴とする制御メッセージ送信装置。
【請求項１８】
前記ショートＢＣＩＤのビットが、前記ＢＣＩＤを示すビットのうちの前記所定数の下位ビットであることを特徴とする請求項１７記載の制御メッセージ送信装置。
【請求項１９】
前記トラヒックインジケータメッセージ生成部は、
前記ショートＢＣＩＤフィールドの個数が前記ポジティブ加入者端末の個数と同一であり、前記少なくとも１つ以上のショートＢＣＩＤフィールドがそれぞれ１つのポジティブ加入者端末に対応するように、前記トラヒックインジケータメッセージを生成することを特徴とする請求項１７記載の制御メッセージ送信装置。
【請求項２０】
前記ショートＢＣＩＤのビット数が、１つの基地局がサービスすることができる加入者端末の総数の基づいて、基地局ごとに可変的に予め設定されることを特徴とする請求項１７から請求項１９のうちのいずれか１項に記載の制御メッセージ送信装置。
【請求項２１】
前記トラヒックインジケータメッセージ生成部は、
前記ショートＢＣＩＤの長さを示すショートＢＣＩＤビット数情報が挿入されるショートＢＣＩＤビット数フィールドをさらに含ませて前記トラヒックインジケータメッセージを生成することを特徴とする請求項２０記載の制御メッセージ送信装置。
【請求項２２】
前記ショートＢＣＩＤのビット数が固定的に予め設定されることを特徴とする請求項１７から請求項１９のうちのいずれか１項に記載の制御メッセージ送信装置。
【請求項２３】
前記トラヒックインジケータメッセージ生成部は、
前記ショートＢＣＩＤの長さを示すショートＢＣＩＤビット数情報が挿入されるショートＢＣＩＤビット数フィールドをさらに含ませて前記トラヒックインジケータメッセージを生成することを特徴とする請求項２２記載の制御メッセージ送信装置。
【請求項２４】
前記トラヒックインジケータメッセージ生成部は、
前記ショートＢＣＩＤの長さを示すショートＢＣＩＤビット数情報が挿入されるショートＢＣＩＤビット数フィールドをさらに含ませて前記トラヒックインジケータメッセージを生成することを特徴とする請求項１７から請求項１９のうちのいずれか１項に記載の制御メッセージ送信装置。
【請求項２５】
無線接続通信システムにおける加入者端末がトラヒックインジケーション情報を受信する方法であって、
前記トラヒックインジケーション情報を受信しなければならないポジティブ加入者端末のベーシック連結識別子（ＢＣＩＤ）を示すビットのうちの所定数のビットのみで構成されたショートＢＣＩＤが挿入されるショートＢＣＩＤフィールドを少なくとも１つ以上備えるトラヒックインジケータメッセージを受信するステップと、
前記トラヒックインジケータメッセージから前記ショートＢＣＩＤを抽出するステップと、
前記加入者端末の自分のＢＣＩＤから前記所定数のビットのみで構成されるショートＢＣＩＤを抽出するステップと、
前記トラヒックインジケータメッセージから抽出されたショートＢＣＩＤと前記加入者端末の自分のＢＣＩＤから抽出されたショートＢＣＩＤとを比較して、前記加入者端末がポジティブ加入者端末であるか否かを判定するステップと、を備えることを特徴とする制御メッセージ受信方法。
【請求項２６】
前記ショートＢＣＩＤのビットが、前記ＢＣＩＤを示すビットのうちの前記所定数の下位ビットであることを特徴とする請求項２５記載の制御メッセージ受信方法。
【請求項２７】
無線接続通信システムにおける加入者端末がトラヒックインジケーション情報を受信する方法であって、
前記トラヒックインジケーション情報を受信しなければならないポジティブ加入者端末のベーシック連結識別子（ＢＣＩＤ）を示すビットのうちの所定数のビットのみで構成されたショートＢＣＩＤが挿入されるショートＢＣＩＤフィールドを少なくとも１つ以上備え、前記ショートＢＣＩＤの長さを示すショートＢＣＩＤビット数情報が挿入されるショートＢＣＩＤビット数フィールドを備えるトラヒックインジケータメッセージを受信するステップと、
前記トラヒックインジケータメッセージの前記ショートＢＣＩＤビット数情報を確認するステップと、
前記確認されたショートＢＣＩＤビット数情報の基づいて、前記トラヒックインジケータメッセージから前記ショートＢＣＩＤを抽出するステップと、
前記加入者端末の自分のＢＣＩＤから前記確認されたショートＢＣＩＤビット数情報に従う個数のビットのみで構成されるショートＢＣＩＤを抽出するステップと、
前記トラヒックインジケータメッセージから抽出されたショートＢＣＩＤと前記加入者端末の自分のＢＣＩＤから抽出されたショートＢＣＩＤとを比較して、前記加入者端末がポジティブ加入者であるか否かを判定するステップと、
を備えることを特徴とする制御メッセージ受信方法。
【請求項２８】
前記ショートＢＣＩＤのビットが、前記ＢＣＩＤを示すビットのうちの前記設定された個数の下位ビットであることを特徴とする請求項２７記載の制御メッセージ受信方法。
【請求項２９】
無線接続通信システムにおける加入者端末がトラヒックインジケーション情報を受信する装置であって、
前記トラヒックインジケーション情報を受信しなければならないポジティブ加入者端末のベーシック連結識別子（ＢＣＩＤ）を示すビットのうちの所定数のビットのみで構成されたショートＢＣＩＤが挿入されるショートＢＣＩＤフィールドを少なくとも１つ以上備えるトラヒックインジケータメッセージを受信するトラヒックインジケータメッセージ受信部と、
前記トラヒックインジケータメッセージから前記ショートＢＣＩＤを抽出する第１のショートＢＣＩＤ抽出部と、
前記加入者端末の自分のＢＣＩＤから前記所定数のビットのみで構成されるショートＢＣＩＤを抽出する第２のショートＢＣＩＤ抽出部と、
前記トラヒックインジケータメッセージから抽出されたショートＢＣＩＤと前記加入者端末の自分のＢＣＩＤから抽出されたショートＢＣＩＤとを比較して、前記加入者端末がポジティブ加入者であるか否かを判定する判定部と、
を備えることを特徴とする制御メッセージ受信装置。
【請求項３０】
前記ショートＢＣＩＤのビットが、前記ＢＣＩＤを示すビットのうちの前記所定数の下位ビットであることを特徴とする請求項２９記載の制御メッセージ受信装置。
【請求項３１】
無線接続通信システムにおける加入者端末がトラヒックインジケーション情報を受信する装置であって、
前記トラヒックインジケーション情報を受信しなければならないポジティブ加入者端末のベーシック連結識別子（ＢＣＩＤ）を示すビットのうちの所定数のビットのみで構成されたショートＢＣＩＤが挿入されるショートＢＣＩＤフィールドを少なくとも１つ以上備え、前記ショートＢＣＩＤの長さを示すショートＢＣＩＤビット数情報が挿入されるショートＢＣＩＤビット数フィールドを備えるトラヒックインジケータメッセージを受信するトラヒックインジケータメッセージ受信部と、
前記トラヒックインジケータメッセージの前記ショートＢＣＩＤビット数情報を確認するショートＢＣＩＤビット数情報確認部と、
前記確認されたショートＢＣＩＤビット数情報に基づいて、前記トラヒックインジケータメッセージから前記ショートＢＣＩＤを抽出する第１のショートＢＣＩＤ抽出部と、
前記加入者端末の自分のＢＣＩＤから前記確認されたショートＢＣＩＤビット数情報に従う個数のビットのみで構成されるショートＢＣＩＤを抽出する第２のショートＢＣＩＤ抽出部と、
前記トラヒックインジケータメッセージから抽出されたショートＢＣＩＤと前記加入者端末の自分のＢＣＩＤから抽出されたショートＢＣＩＤとを比較して、前記加入者端末がポジティブ加入者端末であるか否かを判定する判定部と、
を備えることを特徴とする制御メッセージ受信装置。
【請求項３２】
前記ショートＢＣＩＤのビットが、前記ＢＣＩＤを示すビットのうちの前記所定数の下位ビットであることを特徴とする請求項３１記載の制御メッセージ受信装置。
【発明の詳細な説明】
【技術分野】
【０００１】
本発明は、無線接続通信システムに関し、特に、基地局が端末に制御メッセージを伝送する方法及び装置に関する。
【背景技術】
【０００２】
無線接続通信システムにおいて、端末の位置移動によって現在サービス中の基地局(以下、“現在のサービング基地局”と称する。)から端末に受信される信号品質が劣化する場合、端末は、受信品質が良い隣接基地局(以下、“新たなサービング基地局”と称する。)からサービスを受けるために、ハンドオーバー(hand over)を遂行する。このとき、ＩＥＥＥ(Institute of Electrical and Electronics Engineers)８０２．１６ｅによると、端末は、現在のサービング基地局から割り当てられた各種連結識別子(ＣＩＤ；Connector Identifier)を新たなサービング基地局で使用するＣＩＤに置き換えなければならない。このように、置き換えられなければならないＣＩＤの種類には、例えば、ＩＥＥＥ８０２．１６ｅによると、ベーシック(basic)ＣＩＤ、１次管理(primary management)ＣＩＤ、２次管理(secondary management)ＣＩＤ、トランスポート(transport)ＣＩＤがある。
【０００３】
ハンドオーバーセッションが始まると、新たなサービング基地局は、ハンドオーバー対象端末に新たなサービング基地局の内で使用するＣＩＤ(以下、“新ＣＩＤ”と称する。)を割り当てる。そして、新たなサービング基地局は、端末が使用していたＣＩＤ(以下、“旧ＣＩＤ”と称する。)に関する情報を現在のサービング基地局から受信する。次に、新たなサービング基地局は、新ＣＩＤと旧ＣＩＤをマッピング(mapping)して端末に伝送する。このように、端末に伝送される情報をＣＩＤアップデート(update)情報と称する。通常、新たなサービング基地局は、ＣＩＤアップデート情報を制御メッセージの１つである登録応答メッセージ(registration response message；以下、“ＲＥＧ＿ＲＳＰメッセージ”と称する。)にＴＬＶ(Type-Length-Value)形式で含ませて端末に伝送する。
【０００４】
図１は、通常のＣＩＤアップデート情報を伝達するためのＲＥＧ＿ＲＳＰメッセージの一部構造図であって、例えば、ＩＥＥＥ８０２．１６ｅに従うＲＥＧ＿ＲＳＰメッセージにおいて１個のＣＩＤに関するアップデート情報を伝送するために使用される構造の一部を示す。図１を参照すると、ＣＩＤアップデート情報を伝送するためのＲＥＧ＿ＲＳＰメッセージは、１つのＣＩＤアップデート情報が挿入される８バイトのＣＩＤアップデート情報フィールド１０と、ＣＩＤアップデート情報フィールド１０に挿入されるＣＩＤアップデート情報に関連した連結情報が挿入される可変長(variable length)の連結情報フィールド１２と、を含む。ＣＩＤアップデート情報フィールド１０は、新ＣＩＤに関するタイプ情報が挿入される１バイトのタイプフィールド１４と、新ＣＩＤに関する長さ情報が挿入される１バイトの長さフィールド１６と、新ＣＩＤの値が挿入される２バイトの新ＣＩＤフィールド１８と、旧ＣＩＤに関するタイプ情報が挿入される１バイトのタイプフィールド２０と、旧ＣＩＤに関する長さ情報が挿入される１バイトの長さフィールド２２と、旧ＣＩＤの値が挿入される２バイトの旧ＣＩＤフィールド２４と、を含む。
【０００５】
１つの端末は、複数のＣＩＤを使用する。１つの端末が使用するＣＩＤ個数が１つずつ増加されるときごとに、ＣＩＤアップデート情報を伝送するためのＲＥＧ＿ＲＳＰメッセージにＣＩＤアップデート情報フィールド１０とそれに関連する連結情報フィールド１２が１つずつ追加されなければならない。例えば、平均的に、１つの端末が使用するＣＩＤ個数が１６個であるとすると、ハンドオーバーが遂行されるときごとに、ＲＥＧ＿ＲＳＰメッセージによってＣＩＤアップデート情報を伝達するためには、ＣＩＤアップデート情報フィールド１０も１６個必要であるので、ＣＩＤアップデート情報フィールドに１２８バイト(＝８バイト×１６)のデータフィールドが使用される。
【０００６】
一方、無線接続通信システムでは、端末の電力消耗を減らすために、端末が実際に使用される状態を示すアクティブモードに対応した概念として、端末の待機状態を示すスリープモード(sleep mode)という概念を使用する。すなわち、端末の電力消耗を減らすために、端末が待機状態である場合には、端末をスリープモードで動作するように制御する。
【０００７】
そして、スリープモードで動作中の端末に伝送するデータがある場合、基地局は、制御メッセージの１つであるトラヒックインジケータメッセージ(traffic indicator message；以下、“ＴＲＦ＿ＩＮＤメッセージ”と称する。)を用いて該当端末にトラヒックインジケーション(traffic indication)情報を伝送し、これによって、該当端末をアクティブ(active)モードに動作するように制御する。
【０００８】
このために、基地局は、スリープモードで動作中の端末のうち、基地局が伝送するデータがある端末のベーシック(basic)ＣＩＤ(以下、“ＢＣＩＤ”と称する。)をトラヒックインジケーション情報としてＴＲＦ＿ＩＮＤメッセージに含ませて一斉同報(broadcasting)する。そうすると、所定のスリープインターバル(sleep interval)及びリスニングインターバル(listening interval)を繰り返し、スリープモードで動作中の端末は、リスニングインターバルの間にしばらく目覚めた後に、基地局から一斉同報されたＴＲＦ＿ＩＮＤメッセージを確認する。すなわち、端末は、基地局から受信したＴＲＦ＿ＩＮＤメッセージに自分のＢＣＩＤが含まれているか否かを確認する。ＴＲＦ＿ＩＮＤメッセージに自分のＢＣＩＤが含まれていると、該当端末は、スリープモードから覚めてアクティブモードに転換される。
【０００９】
図２は、通常のＴＲＦ＿ＩＮＤメッセージの構造図であって、ＩＥＥＥ８０２．１６ｅに従うＴＲＦ＿ＩＮＤメッセージの構造を示す。図２を参照すると、通常のＴＲＦ＿ＩＮＤメッセージは、管理メッセージタイプ(management message type)情報が挿入される８ビットの管理メッセージタイプフィールド３０と、８ビットのポジティブ(positive)加入者端末個数情報が挿入されるポジティブ加入者端末個数フィールド３２と、少なくとも１つ以上のポジティブ加入者端末のそれぞれのＢＣＩＤが挿入される１６ビットずつのＢＣＩＤフィールド３４〜３６と、を含む。管理メッセージタイプ情報は、現在伝送されるメッセージのタイプを示す。ＩＥＥＥ８０２．１６ｅに従うと、管理メッセージタイプ情報が“４７”である場合、該当メッセージがＴＲＦ＿ＩＮＤメッセージであることを示す。ポジティブ加入者端末は、基地局がデータを伝送する端末であることを意味し、ポジティブ加入者端末個数は、ポジティブ加入者端末の個数を示す。ＢＣＩＤは、ポジティブ加入者端末のそれぞれのＢＣＩＤの値である。
【００１０】
上述したように、ＴＲＦ＿ＩＮＤメッセージには、ポジティブ加入者端末の個数と、同一の個数のポジティブ加入者端末のそれぞれのＢＣＩＤと、が含まれる。例えば、ポジティブ加入者端末の個数が‘６’であれば、ＴＲＦ＿ＩＮＤメッセージには、６個のＢＣＩＤが含まれる。このような場合、ポジティブ加入者端末を示すためには、９６ビット(＝１６ビット×６)のデータフィールドが必要である。
【発明の開示】
【発明が解決しようとする課題】
【００１１】
上記背景に鑑みて、本発明の目的は、ＣＩＤアップデート情報を伝送するためのＲＥＧ＿ＲＳＰメッセージの構造を簡素化し、長さを短縮させることによって、無線接続通信システムにおける制御メッセージの伝送効率を増加させることができる方法及び装置を提供する。
【００１２】
また、本発明の他の目的は、トラヒックインジケーション情報を伝送するためのＴＲＦ＿ＩＮＤメッセージの長さを短縮させることによって、無線接続通信システムにおける制御メッセージの伝送効率を増加させることができる方法及び装置を提供する。
【課題を解決するための手段】
【００１３】
このような目的を達成するために、本発明の実施形態によると、基地局は、タイプフィールドと長さフィールドと統合ＣＩＤフィールドとを備えるＲＥＧ＿ＲＳＰメッセージをハンドオーバー対象になる加入者端末に送信する。加入者端末に新たに割り当てられた新ＣＩＤと加入者端末は、現在のサービング基地局から割り当てられた旧ＣＩＤとの対からなる統合ＣＩＤが統合ＣＩＤフィールドに挿入され、統合ＣＩＤに関するタイプ情報及び長さ情報は、タイプフィールド及び長さフィールドのそれぞれに挿入される。
【００１４】
本発明の他の実施形態によると、基地局は、トラヒックインジケーション情報を受信しなければならないポジティブ加入者端末のＢＣＩＤを示すビットのうちの所定数のビットのみで構成されたショートＢＣＩＤが挿入されるショートＢＣＩＤフィールドを少なくとも１つ以上備えるＴＲＦ＿ＩＮＤメッセージを加入者端末に送信する。このＴＲＦ＿ＩＮＤメッセージは、ショートＢＣＩＤの長さを示すショートＢＣＩＤビット数の情報が挿入されるショートＢＣＩＤビット数フィールドをさらに備えることもできる。
【００１５】
本発明のさらなる実施形態によると、加入者端末は、トラヒックインジケーション情報を受信しなければならないポジティブ加入者端末のＢＣＩＤを示すビットのうちの所定数のビットのみで構成されたショートＢＣＩＤが挿入されるショートＢＣＩＤフィールドを少なくとも１つ以上備えるＴＲＦ＿ＩＮＤメッセージを受信することもできる。そして、加入者端末は、ＴＲＦ＿ＩＮＤメッセージからショートＢＣＩＤを抽出し、加入者端末の自分のＢＣＩＤから所定数の下位ビットのみで構成されるショートＢＣＩＤを抽出することができる。そして、加入者端末は、ＴＲＦ＿ＩＮＤメッセージから抽出されたショートＢＣＩＤと加入者端末の自分のＢＣＩＤから抽出されたショートＢＣＩＤとを比較して、加入者端末がポジティブ加入者であるか否かを判定することもできる。
【００１６】
本発明のもう一つの実施形態によると、加入者端末は、トラヒックインジケーション情報を受信しなければならないポジティブ加入者端末のＢＣＩＤを示すビットのうちの所定数のビットのみで構成されたショートＢＣＩＤが挿入されるショートＢＣＩＤフィールドを少なくとも１つ以上備え、ショートＢＣＩＤの長さを示すショートＢＣＩＤビット数情報が挿入されるショートＢＣＩＤビット数フィールドを備えるＴＲＦ＿ＩＮＤメッセージを受信することもできる。そして、加入者端末は、ＴＲＦ＿ＩＮＤメッセージのショートＢＣＩＤビット数情報を確認し、この確認されたショートＢＣＩＤビット数情報に基づいて、ＴＲＦ＿ＩＮＤメッセージからショートＢＣＩＤを抽出し、加入者端末の自分のＢＣＩＤから確認されたショートＢＣＩＤビット数情報に従う個数の下位ビットのみで構成されるショートＢＣＩＤを抽出することもできる。そして、加入者端末は、ＴＲＦ＿ＩＮＤメッセージから抽出されたショートＢＣＩＤと加入者端末の自分のＢＣＩＤから抽出されたショートＢＣＩＤとを比較して、加入者端末がポジティブ加入者端末であるか否かを判定することもできる。
【発明の効果】
【００１７】
本発明は、ＣＩＤアップデート情報を伝送するためのＲＥＧ＿ＲＳＰメッセージの構造を簡素化すると共に、ＲＥＧ＿ＲＳＰメッセージの長さを短縮させ、トラヒックインジケーション情報を伝送するためのＴＲＦ＿ＩＮＤメッセージの長さを短縮させる。従って、制御メッセージの伝送に必要なデータの伝送量を減少させることによって、無線接続通信システムの伝送効率を増加させることができる、という長所がある。
【発明を実施するための最良の形態】
【００１８】
以下、本発明の好適な実施形態について添付図面を参照しつつ詳細に説明する。下記説明において、本発明の要旨のみを明瞭するために公知の機能又は構成に対する詳細な説明は省略する。また、ＣＩＤアップデート情報を伝送するためのＲＥＧ＿ＲＳＰメッセージに関する説明とトラヒックインジケーション情報を伝送するためのＴＲＦ＿ＩＮＤメッセージに関する説明とに区分して説明する。
【００１９】
「ＣＩＤアップデート情報を伝送するためのＲＥＧ＿ＲＳＰメッセージ」
まず、本発明の実施形態によるＣＩＤアップデート情報を伝送するためのＲＥＧ＿ＲＳＰメッセージに関して説明する。
【００２０】
図３は、本発明の実施形態によるＣＩＤアップデート情報を伝送するためのＲＥＧ＿ＲＳＰメッセージの構造図であって、図１と同様に、ＲＥＧ＿ＲＳＰメッセージのうち１個のＣＩＤに関するアップデート情報を伝送するために使用される一部の構造を示す。図３を参照すると、本発明の実施形態によるＲＥＧ＿ＲＳＰメッセージは、図１とは異なって、１つのＣＩＤアップデート情報が挿入される６バイトのＣＩＤアップデート情報フィールド１００と、それ以外の連結情報のための可変長の連結情報フィールド１０４と、を含む。このＣＩＤアップデート情報フィールド１００は、統合ＣＩＤに関するタイプ情報が挿入される１バイトのタイプフィールド１０６と、統合ＣＩＤに関する長さ情報が挿入される長さフィールド１０８と、統合ＣＩＤの値が挿入される４バイトの統合ＣＩＤフィールド１１０と、からなる。
【００２１】
統合ＣＩＤフィールド１１０は、新ＣＩＤと旧ＣＩＤとの対からなる統合ＣＩＤが挿入されるが、それぞれ２バイトの上位フィールドと下位フィールドとに区分される。上位フィールドは、新ＣＩＤが挿入される新ＣＩＤフィールド１１２として使用され、下位フィールドは、旧ＣＩＤが挿入される旧ＣＩＤフィールド１１４として使用される。これとは反対に、上位フィールドは、旧ＣＩＤフィールドとして使用され、下位フィールドは、新ＣＩＤフィールドとして使用されることもできる。
【００２２】
図１に示したような従来のＲＥＧ＿ＲＳＰメッセージのＣＩＤアップデート情報フィールド１０は、ＣＩＤに関する１バイトずつのタイプフィールド１４及び長さフィールド１６と、新ＣＩＤに関する１バイトずつのタイプフィールド２０及び長さフィールド２２を必要とする。しかしながら、本発明によるＲＥＧ＿ＲＳＰメッセージのＣＩＤアップデート情報フィールド１００は、新ＣＩＤと旧ＣＩＤとを統合した統合ＣＩＤに関する１バイトずつのタイプフィールド１０６及び長さフィールド１０８のみを含む。結果的に、従来技術は、ＣＩＤアップデート情報に関するタイプ及び長さを示すために、４バイトのデータフィールドを必要としたが、本発明は、ＣＩＤアップデート情報に関するタイプ及び長さを示すために、２バイトのデータフィールドのみを必要とする。
【００２３】
本発明は、ハンドオーバーが遂行される間、基地局がハンドオーバー対象の端末に伝送するＣＩＤアップデート情報を伝送するためのＲＥＧ＿ＲＳＰメッセージの長さが、従来技術に比べて、１つのＣＩＤの当たり２バイトずつ短縮される。例えば、ハンドオーバーしようとする端末が１６個のＣＩＤを使用すると仮定するとき、本発明によるメッセージ構造を使用すると、ＣＩＤアップデート情報を伝送するためのＲＥＧ＿ＲＳＰメッセージの伝送のとき、３２バイト(＝２バイト×１６)のデータ伝送量を減少させることができる。これに従って、無線接続通信システムで制御メッセージの伝送効率を増加させることができる。
【００２４】
一方、図３は、統合ＣＩＤフィールド１１０が新ＣＩＤフィールド１１２及び旧ＣＩＤフィールド１１４のみを含む例を示す。しかしながら、タイプフィールド１０６及び長さフィールド１０８のうちのいずれか１つのフィールドを新ＣＩＤに関するフィールドと旧ＣＩＤに関するフィールドとに分け、統合ＣＩＤフィールド１１０に含ませることもできる。例えば、統合ＣＩＤフィールド１１０は、長さフィールド１０８を削除する代わりに、統合ＣＩＤフィールド１１０を２バイトさらに拡張して、新ＣＩＤフィールド１１２の前に新ＣＩＤに関する１バイトの長さフィールドを追加し、旧ＣＩＤフィールド１１４の前に旧ＣＩＤに関する１バイトの長さフィールドを追加して、統合ＣＩＤフィールド１１０を構成することもできる。一方、統合ＣＩＤフィールド１１０は、タイプフィールド１０６を削除する代わりに、統合ＣＩＤフィールド１１０を２バイトさらに拡張して、新ＣＩＤフィールド１１２の前に新ＣＩＤに関する１バイトのタイプフィールドを追加し、旧ＣＩＤフィールド１１４の前に旧ＣＩＤに関する１バイトのタイプフィールドを追加して、統合ＣＩＤフィールド１１０を構成することもできる。その結果、ＣＩＤアップデート情報を伝送するためのＲＥＧ＿ＲＳＰメッセージの長さが、従来のＲＥＧ＿ＲＳＰメッセージの長さに比べて、１つのＣＩＤ当たり１バイトずつのみ短縮される。さらに、本発明は、従来技術に比べて、ＣＩＤアップデート情報を伝送するためのＲＥＧ＿ＲＳＰメッセージの伝送のとき、データ伝送量を減少させることができる。
【００２５】
図４は、本発明の実施形態によるＣＩＤアップデート情報を伝送するためのＲＥＧ＿ＲＳＰメッセージを送信する装置のブロック構成図であって、ＲＥＧ＿ＲＳＰメッセージを送信する装置は、統合ＣＩＤ生成部２００と、ＲＥＧ＿ＲＳＰメッセージ生成部２０２と、ＲＥＧ＿ＲＳＰメッセージ送信部２０４と、を含む。例えば、上述した統合ＣＩＤ生成部２００及びＲＥＧ＿ＲＳＰメッセージ生成部２０２は、本発明が適用される無線接続通信システムの基地局において、ＲＥＧ＿ＲＳＰメッセージを生成して、加入者端末に送信するコントローラーが図５のフローチャートに従う処理を遂行するようにプログラムして実現されることができる。
【００２６】
図４及び図５を参照すると、ハンドオーバーの対象になる加入者端末にＣＩＤアップデート情報を伝送するためのＲＥＧ＿ＲＳＰメッセージを送信すべき場合、統合ＣＩＤ生成部２００は、図５に示すステップ３００で、旧ＣＩＤと新ＣＩＤとを統合し、統合ＣＩＤを生成してＲＥＧ＿ＲＳＰメッセージ生成部２０２に提供する。そうすると、ＲＥＧ＿ＲＳＰメッセージ生成部２０２は、ステップ３０２で、図３に示すように、統合ＣＩＤを含むＲＥＧ＿ＲＳＰメッセージを生成し、ステップ３０４で、ＲＥＧ＿ＲＳＰメッセージ送信部２０４を通してハンドオーバー対象になる加入者端末に送信する。ハンドオーバー対象になる加入者端末は、このように送信されたＲＥＧ＿ＲＳＰメッセージを受信して、図３に示すように定められたタイプフィールド１０６及び長さフィールド１０８から統合ＣＩＤに関するタイプ及び長さを確認し、それに基づいて、統合ＣＩＤフィールド１１０にある新ＣＩＤ及び旧ＣＩＤを確認する。
【００２７】
「トラヒックインジケーション情報を伝送するためのＴＲＦ＿ＩＮＤメッセージ」
以下、本発明の実施形態によるトラヒックインジケーション情報を伝送するためのＴＲＦ＿ＩＮＤメッセージに関して説明する。
【００２８】
まず、ＴＲＦ＿ＩＮＤメッセージにおいて、加入者端末の各々を示すためのＢＣＩＤの特性を説明する。ＩＥＥＥ８０２．１６ｅに従うと、基地局は、０x０００１〜ｍのｍ個のＢＣＩＤを有している。“ｍ”は、基地局が支援することができる端末の総数であって、基地局ごとに異なって設定されることができる。通常、ｍは、１００と２００との間の値で設定される。“ｍ”が‘２００’である場合、該当基地局は、各ＢＣＩＤの１６ビットのうち下位８ビットのみでも加入者端末を区別することができる。すなわち、２８＝２５６であるので、１６ビットのＢＣＩＤ値をすべて使用せず、下位８ビットのみでも、２００個の加入者端末を区別することができる。したがって、ＴＲＦ＿ＩＮＤメッセージにＢＣＩＤの１６ビットをすべて含ませる代わりに、ＢＣＩＤの下位８ビットの値のみを含ませると、加入者端末を区別することができるように示すことができ、ＴＲＦ＿ＩＮＤメッセージに含まれた１つのポジティブ加入者端末当たり８ビットずつＴＲＦ＿ＩＮＤメッセージの長さを短縮させることができる。これによって、それだけのデータ伝送量を減少させる効果を得ることができる。他の例として、“ｍ”が‘１００'である場合、２７＝１２８であるので、該当基地局は、加入者端末のそれぞれのＢＣＩＤを示す１６ビットのうちの下位７ビットのみで加入者端末に対する区別が可能である。この場合、ＴＲＦ＿ＩＮＤメッセージに含まれた１つのポジティブ加入者端末当たり９ビットずつＴＲＦ＿ＩＮＤメッセージの長さを短縮させることによって、それだけのデータ伝送量を減少させる効果を得ることができる。その結果、無線接続通信システムのＴＲＦ＿ＩＮＤメッセージの伝送のとき、制御メッセージの伝送効率を増加させることができる。
【００２９】
既存の１６ビットのＢＣＩＤの代わりに、上述したように、ＢＣＩＤの１６ビットのうちの所定数のビットのみで構成されたＢＣＩＤを、本明細書では、“ショートＢＣＩＤ”と称する。本発明の実施形態において、ショートＢＣＩＤは、各端末を区分するために必要なビット長さを有する。望ましくは、ショートＢＣＩＤは、ＢＣＩＤの１６ビットのうちの所定数の下位ビットで構成されることもできる。
【００３０】
一方、基地局ごとに使用される‘ｍ’の値は異なるが、上述したように、通常、１つの基地局で実際サービスする加入者端末の総数は、ＢＣＩＤの１６ビットをすべて使用せずにも、該当基地局の内の加入者端末を区別することができる。これを勘案すると、ショートＢＣＩＤのビット数は、無線接続通信システムの全体の基地局に対して、固定的、例えば、１２ビットで設定されることができる。これとは異なって、基地局ごとに使用される‘ｍ’値に従って、基地局ごとに使用可能なショートＢＣＩＤのビット数も異なるので、ショートＢＣＩＤのビット数を可変的に設定することもできる。すなわち、ショートＢＣＩＤのビット数は、それぞれの基地局からサービスを受信することができる加入者端末の総数に基づいて可変的に予め設定されることもできる。また、ショートＢＣＩＤのビット数が基地局ごとに可変的である場合には、固定的な場合とは異なって、ＴＲＦ＿ＩＮＤメッセージを受信する加入者端末が受信されたＴＲＦ＿ＩＮＤメッセージに含まれたショートＢＣＩＤのビット数を確認することができるように、ショートＢＣＩＤのビット数をＴＲＦ＿ＩＮＤメッセージに含ませることが望ましい。
【００３１】
図６は、本発明の実施形態に従って、ショートＢＣＩＤを含むＴＲＦ＿ＩＮＤメッセージの構造図であって、ショートＢＣＩＤのビット数を固定的に設定する場合の例を示す。このＴＲＦ＿ＩＮＤメッセージは、図２と同様に、管理メッセージタイプ情報が挿入される８ビットの管理メッセージタイプフィールド４００と、８ビットのポジティブ加入者端末個数情報が挿入されるポジティブ加入者端末個数フィールド４０２と、を含む。しかしながら、図６に示すＴＲＦ＿ＩＮＤメッセージは、図２に示すようにポジティブ加入者端末のそれぞれの１６ビットのＢＣＩＤが挿入される１６ビットずつのＢＣＩＤフィールド３４〜３６の代わりに、ポジティブ加入者端末のそれぞれのＢＣＩＤのうちの１２ビットのショートＢＣＩＤがそれぞれ挿入される１２ビットずつのショートＢＣＩＤフィールド４０４〜４０６を、このポジティブ加入者端末の個数に対応して少なくとも１つ以上含む。図６に示すＴＲＦ＿ＩＮＤメッセージは、ショートＢＣＩＤのビット数をそれぞれ１２ビットに固定して設定する場合の例を示す。ショートＢＣＩＤのビット数は、上述したように、７〜１５ビットのうちのいずれか１つに固定して設定されることができる。
【００３２】
図７は、本発明の実施形態に従ってショートＢＣＩＤを含む、ＴＲＦ＿ＩＮＤメッセージの構造図であって、ショートＢＣＩＤのビット数が基地局ごとに可変的に設定される場合の例を示す。図７に示すＴＲＦ＿ＩＮＤメッセージは、図６と同様に、管理メッセージタイプ情報が挿入される８ビットの管理メッセージタイプフィールド４００と、少なくとも１つ以上のポジティブ加入者端末の個数を示す８ビットのポジティブ加入者端末個数情報が挿入されるポジティブ加入者端末個数フィールド４０２と、を含む。しかしながら、図７に示すＴＲＦ＿ＩＮＤメッセージは、ショートＢＣＩＤのビット数が可変的である場合であるので、ポジティブ加入者端末個数フィールド４０２の後ろに位置する４ビットのショートＢＣＩＤビット数フィールド４０８をさらに備え、ショートＢＣＩＤビット数フィールド４０８の後ろにショートＢＣＩＤフィールド４１０〜４１２が後続する。ショートＢＣＩＤフィールド４１０〜４１２には、各基地局ごとにビット数が可変的に設定されるショートＢＣＩＤが挿入され、ショートＢＣＩＤのビット数は、ショートＢＣＩＤビット数フィールド４０８に挿入されるショートＢＣＩＤビット数情報によって示される。
【００３３】
図７に示す構造を有するＴＲＦ＿ＩＮＤメッセージを使用する場合、ショートＢＣＩＤのビット数を示すフィールドが追加される。従って、ショートＢＣＩＤのビット数が１２ビットである場合、図６に示すＴＲＦ＿ＩＮＤメッセージの長さ比べて、ＴＲＦ＿ＩＮＤメッセージの長さが４ビット増加する。しかしながら、通常、基地局に従ってショートＢＣＩＤのビット数を７ビットまで短縮させることができるので、ＴＲＦ＿ＩＮＤメッセージの長さをさらに短くすることができる。
【００３４】
図８は、本発明の実施形態によるトラヒックインジケーション情報を伝送するＴＲＦ＿ＩＮＤメッセージを送信する装置のブロック構成図であって、ＴＲＦ＿ＩＮＤメッセージを送信する装置は、ショートＢＣＩＤ抽出部５００と、ＴＲＦ＿ＩＮＤメッセージ生成部５０２と、ＴＲＦ＿ＩＮＤメッセージ送信部５０４と、から構成される。例えば、ショートＢＣＩＤ抽出部５００及びＴＲＦ＿ＩＮＤメッセージ生成部５０２は、本発明が適用される無線接続通信システムの基地局において、ＴＲＦ＿ＩＮＤメッセージを生成して加入者端末に送信するコントローラーが図９のフローチャートに従う処理を遂行するようにプログラムして実現されることができる。
【００３５】
図８及び図９を参照すると、基地局が少なくとも１つ以上のポジティブ加入者端末にＴＲＦ＿ＩＮＤメッセージを送信すべき場合、ショートＢＣＩＤ抽出部５００は、図９に示すステップ６００〜６０２で、ポジティブ加入者端末の各々のＢＣＩＤを読み出し、ショートＢＣＩＤを抽出してＴＲＦ＿ＩＮＤメッセージ生成部５０２に提供する。このとき、ショートＢＣＩＤ抽出部５００は、図６に示すように、ショートＢＣＩＤのビット数が固定的に設定される場合、ＢＣＩＤのそれぞれのビットのうちの固定的に設定された個数の下位ビットのみから構成されたショートＢＣＩＤを抽出し、図７に示すように、ショートＢＣＩＤのビット数が可変的に設定された場合、ＢＣＩＤのそれぞれのビットのうちの該当基地局に対して設定された個数の下位ビットのみで構成されたショートＢＣＩＤを抽出する。
【００３６】
この後、ＴＲＦ＿ＩＮＤメッセージ生成部５０２は、ステップ６０４で、図６又は図７のように、ショートＢＣＩＤを含むＴＲＦ＿ＩＮＤメッセージを生成して、ステップ６０６で、ＴＲＦ＿ＩＮＤメッセージ送信部５０４を通して一斉同報する。
【００３７】
図１０は、本発明の実施形態によるＴＲＦ＿ＩＮＤメッセージを受信する装置のブロック構成図であって、ＴＲＦ＿ＩＮＤメッセージを受信する装置は、ＴＲＦ＿ＩＮＤメッセージ受信部７００と、第１のショートＢＣＩＤ抽出部７０２と、第２のショートＢＣＩＤ抽出部７０４と、判定部７０６と、から構成される。図１０は、無線接続通信システムが図６に示したＴＲＦ＿ＩＮＤメッセージを使用する場合、ＴＲＦ＿ＩＮＤメッセージを受信する装置が加入者端末に適用される例を示す。例えば、第１のショートＢＣＩＤ抽出部７０２、第２のショートＢＣＩＤ抽出部７０４、及び判定部７０６は、本発明が適用される無線接続通信システムの端末において、ＴＲＦ＿ＩＮＤメッセージを受信して処理するコントローラーが図１１のフローチャートに従う処理を遂行するようにプログラムして実現されることができる。
【００３８】
図１０及び図１１を参照すると、端末が基地局から一斉同報されるＴＲＦ＿ＩＮＤメッセージをＴＲＦ＿ＩＮＤメッセージ受信部７００によって図１１に示すステップ８００で受信すると、第１のショートＢＣＩＤ抽出部７０２は、ステップ８０２で、ＴＲＦ＿ＩＮＤメッセージから少なくとも１つ以上のショートＢＣＩＤ、すなわち、図６の例では、ショートＢＣＩＤフィールド４０４〜４０６にあるショートＢＣＩＤを抽出する。また、ステップ８０４で、第２のショートＢＣＩＤ抽出部７０４は、加入者端末の自分のＢＣＩＤのビットのうちの固定的に設定された個数の下位ビットのみをショートＢＣＩＤとして抽出する。
【００３９】
この後、判定部７０６は、ステップ８０６で、第１のショートＢＣＩＤ抽出部７０２によってＴＲＦ＿ＩＮＤメッセージから抽出されたショートＢＣＩＤと第２のショートＢＣＩＤ抽出部７０４によって加入者端末の自分のＢＣＩＤから抽出されたショートＢＣＩＤとを比較し、加入者端末の自分がポジティブ加入者端末であるか否かを判定する。このとき、判定部７０６は、ＴＲＦ＿ＩＮＤメッセージから抽出されたショートＢＣＩＤの中に、加入者端末の自分のＢＣＩＤから抽出されたショートＢＣＩＤと一致するショートＢＣＩＤがあるか否かを検査する。ＴＲＦ＿ＩＮＤメッセージから抽出されたショートＢＣＩＤの中に、加入者端末の自分のＢＣＩＤから抽出されたショートＢＣＩＤと一致するショートＢＣＩＤがあると、加入者端末の自分がポジティブ加入者端末であるものと判定する。そうすると、ステップ８０８で、ポジティブ加入者端末に基づいた処理が遂行される。すなわち、通常の場合と同様に、加入者端末は、スリープモードから覚めてアクティブモードに転換される。これと異なって、ＴＲＦ＿ＩＮＤメッセージから抽出されたショートＢＣＩＤの中に、加入者端末の自分のＢＣＩＤから抽出されたショートＢＣＩＤと一致するショートＢＣＩＤがない場合、加入者端末の自分がネガティブ加入者端末であるものと判定される。そうすると、ステップ８１０で、ネガティブ加入者端末に基づいた処理、すなわち、スリープモードが継続される。
【００４０】
図１２は、本発明の他の実施形態によるＴＲＦ＿ＩＮＤメッセージを受信する装置のブロック構成図であって、ＴＲＦ＿ＩＮＤメッセージを受信する装置は、ＴＲＦ＿ＩＮＤメッセージ受信部９００と、ショートＢＣＩＤのビット数を確認する確認部９０２と、第１のショートＢＣＩＤ抽出部９０４と、第２のショートＢＣＩＤ抽出部９０６と、判定部９０８と、を含む。図１２は、無線接続通信システムが図７に示したＴＲＦ＿ＩＮＤメッセージを使用する場合、ＴＲＦ＿ＩＮＤメッセージを受信する装置が加入者端末に適用される例を示す。例えば、上述したショートＢＣＩＤのビット数を確認する確認部９０２、第１のショートＢＣＩＤ抽出部９０４、第２のショートＢＣＩＤ抽出部９０６、及び判定部９０８は、本発明が適用される無線接続通信システムの加入者端末において、ＴＲＦ＿ＩＮＤメッセージを受信して処理するコントローラーが図１３のフローチャートに従う処理を遂行するようにプログラムして実現されることができる。
【００４１】
図１２及び１３を参照すると、端末が基地局から一斉同報されるＴＲＦ＿ＩＮＤメッセージをＴＲＦ＿ＩＮＤメッセージ受信部９００によって図１３に示すステップ１０００で受信すると、ショートＢＣＩＤのビット数を確認する確認部９０２は、ステップ１００２で、図７のようなＴＲＦ＿ＩＮＤメッセージのショートＢＣＩＤビット数フィールド４０８にあるショートＢＣＩＤビット数情報から、少なくとも１つ以上のショートＢＣＩＤ、すなわち、図７の例では、ショートＢＣＩＤフィールド４１０〜４１２にあるショートＢＣＩＤの各々のビット数を確認する。この後、第１のショートＢＣＩＤ抽出部９０４は、ステップ１００４で、ＴＲＦ＿ＩＮＤメッセージから確認部９０２によって確認された各ショートＢＣＩＤのビット数に基づいて、図７に示したショートＢＣＩＤフィールド４１０〜４１２にあるショートＢＣＩＤを抽出する。そうすると、ステップ１００６で、第２のショートＢＣＩＤ抽出部９０６は、加入者端末の自分のＢＣＩＤに含まれたビットのうち、確認部９０２によって確認されたショートＢＣＩＤのビット数に該当する下位ビットのみをショートＢＣＩＤとして抽出する。
【００４２】
次に、判定部９０８は、ステップ１００８〜１０１２で、図１１に示すステップ８０６〜８１０と同様に、ＴＲＦ＿ＩＮＤメッセージから抽出されたショートＢＣＩＤと加入者端末の自分のＢＣＩＤから抽出されたショートＢＣＩＤとを比較し、加入者端末自身がポジティブ加入者端末であるか否かを判定して該当する処理を遂行する。
【００４３】
以上、本発明を具体的な実施形態を参照して詳細に説明してきたが、本発明の範囲は上述の実施形態によって限定されるべきではなく、本発明の範囲内で様々な変形が可能であるということは、当該技術分野における通常の知識を持つ者には明らかである。
【図面の簡単な説明】
【００４４】
【図１】通常の連結識別子アップデート情報を伝送するための登録応答メッセージの一部構造図である。
【図２】通常のトラヒックインジケータメッセージの構造図である。
【図３】本発明の実施形態による連結識別子アップデート情報を伝送するための登録応答メッセージの一部構造図である。
【図４】本発明の実施形態による連結識別子アップデート情報を伝送するための登録応答メッセージを送信する装置のブロック構成図である。
【図５】本発明の実施形態による連結識別子アップデート情報を伝送するための登録応答メッセージを処理して送信する方法を示すフローチャートである。
【図６】本発明の実施形態によるトラヒックインジケータメッセージの構造図である。
【図７】本発明の他の実施形態によるトラヒックインジケータメッセージの構造図である。
【図８】本発明の実施形態によるトラヒックインジケータメッセージを送信する装置のブロック構成図である。
【図９】本発明の実施形態によるトラヒックインジケータメッセージを処理して送信する方法を示すフローチャートである。
【図１０】本発明の実施形態によるトラヒックインジケータメッセージを受信する装置のブロック構成図である。
【図１１】本発明の実施形態によるトラヒックインジケータメッセージを受信して処理するフローチャートである。
【図１２】本発明の他の実施形態によるトラヒックインジケータメッセージを受信する装置のブロック構成図である。
【図１３】本発明の他の実施形態によるトラヒックインジケータメッセージを受信して処理するフローチャートである。
【符号の説明】
【００４５】
１０    ＣＩＤアップデート情報フィールド
１２    連結情報フィールド
１４    タイプフィールド
１６    長さフィールド
１８    新ＣＩＤフィールド
２０    タイプフィールド
２２    長さフィールド
２４    旧ＣＩＤフィールド
３０    管理メッセージタイプフィールド
３２    ポジティブ加入者端末個数フィールド
３４〜３６    ＢＣＩＤフィールド
１００    ＣＩＤアップデート情報フィールド
１０４    連結情報フィールド
１０６    タイプフィールド
１０８    長さフィールド
１１０    統合ＣＩＤフィールド
１１２    新ＣＩＤフィールド
１１４    旧ＣＩＤフィールド
２００    統合ＣＩＤ生成部
２０２    ＲＥＧ＿ＲＳＰメッセージ生成部
２０４    ＲＥＧ＿ＲＳＰメッセージ送信部
４００    管理メッセージタイプフィールド
４０２    ポジティブ加入者端末個数フィールド
４０４〜４０６    ショートＢＣＩＤフィールド
４０８    ショートＢＣＩＤビット数フィールド
４１０〜４１２    ショートＢＣＩＤフィールド
５００    ショートＢＣＩＤ抽出部
５０２    ＴＲＦ＿ＩＮＤメッセージ生成部
５０４    ＴＲＦ＿ＩＮＤメッセージ送信部
７００    ＴＲＦ＿ＩＮＤメッセージ受信部
７０２    第１のショートＢＣＩＤ抽出部
７０４    第２のショートＢＣＩＤ抽出部
７０６    判定部
９００    ＴＲＦ＿ＩＮＤメッセージ受信部
９０２    確認部
９０４    第１のショートＢＣＩＤ抽出部
９０６    第２のショートＢＣＩＤ抽出部
９０８    判定部
【図１】
2005253062.tif 000003
【図２】
2005253062.tif 000004
【図３】
2005253062.tif 000005
【図４】
2005253062.tif 000006
【図５】
2005253062.tif 000007
【図６】
2005253062.tif 000008
【図７】
2005253062.tif 000009
【図８】
2005253062.tif 000010
【図９】
2005253062.tif 000011
【図１０】
2005253062.tif 000012
【図１１】
2005253062.tif 000013
【図１２】
2005253062.tif 000014
【図１３】
2005253062.tif 000015